(57)【要約】      （修正有）【課題】できるだけ表示画面を覆うことができながらも、表示画面の左右縁部の湾曲開始部分から浮いた状態にならないように装着できる携帯端末用透明フィルムを提供する。【解決手段】本体４と、本体上に配置される表示画面３と、を備える携帯端末の表示画面を保護するための携帯端末用透明フィルムであって、裏面が略平面形状に構成されるフィルム本体１Ａと、フィルム本体の左右両端から左右方向外側に向けて延設される左右フィルム縁部１Ｂと、を備え、少なくともフィルム本体を表示画面に粘着するための粘着層５を、フィルム本体の裏面に備え、左右フィルム縁部は、表示画面の左右縁部３Ｂの湾曲が開始する湾曲開始部分３Ｃを覆うとともに湾曲開始部分の表面に沿うように裏面１Ｒが端に向かうほど下方に位置するように上方に凸となる湾曲面に形成されている。【選択図】図２
2020030300.tif 000002
【特許請求の範囲】
【請求項１】
本体と、該本体上に配置される表示画面と、を備え、前記表示画面が、上面が略平面形状に構成される画面本体と、該画面本体の左右両端のそれぞれから左右方向外側に向けて延設され端に向かうほど下方に位置するように上方に凸となる湾曲面を有し、かつ、前記本体の厚み方向に張り出している左右縁部と、を備える携帯端末に、前記表示画面を保護するために該表示画面上に配置される携帯端末用透明フィルムであって、
裏面が略平面形状に構成され前記画面本体を覆うフィルム本体と、該フィルム本体の左右両端から左右方向外側に向けて延設される左右フィルム縁部と、を備え、
少なくとも前記フィルム本体を前記画面本体に粘着するための粘着層を、該フィルム本体の裏面に備え、
前記左右フィルム縁部は、前記表示画面の左右縁部の湾曲が開始する湾曲開始部分を覆うとともに該湾曲開始部分の表面に沿うように裏面が端に向かうほど下方に位置するように上方に凸となる湾曲面に形成されていることを特徴とする携帯端末用透明フィルム。
【請求項２】
前記粘着層を前記左右フィルム縁部それぞれの裏面に備え、前記粘着層の厚みは、前記左右フィルム縁部の裏面のうちの最下端と前記フィルム本体の裏面とのフィルム厚み方向における離間距離よりも大きいことを特徴とする請求項１に記載の携帯端末用透明フィルム。
【発明の詳細な説明】
【技術分野】
【０００１】
本発明は、携帯端末の表示画面を保護するための携帯端末用透明フィルムに関する。
【背景技術】
【０００２】
上記携帯端末用透明フィルムとしては、例えば特許文献１が既に提案され、図３に示している。この携帯端末用透明フィルム１０は、強化ガラスで構成される板状でフラットな強化ガラスフィルム１１と、強化ガラスフィルム１１の裏面に位置する接着層１２と、接着層１２により接着されるＰＥＴ層１３と、ＰＥＴ層１３の裏面に位置しＰＥＴ層１３を携帯端末２の表示画面３に貼り付けるための貼着層１４と、を備えている。なお、携帯端末２は、各種の基板やカメラレンズあるいはバッテリ等を内蔵したケーシングを有する本体４を備え、本体４の上に前記表示画面３が設けられる。
【０００３】
ところで、近年において携帯端末の表示画面が、新製品の登場とともに大型化している。図３に示すように、前記表示画面３は、上面が略平面形状に構成される画面本体３Ａと、該画面本体３Ａの左右両端のそれぞれから左右方向外側に向けて延設され端に向かうほど下方に位置するように上方に凸となる湾曲面３ｂを有し、かつ、前記本体４の厚み方向に張り出している左右縁部３Ｂ，３Ｂ（図３では一方（右側）のみ図示している）と、を有している。そのため、携帯端末２の表示画面３をできるだけ覆うことができるように携帯端末用透明フィルム１０の大きさを表示画面３の大きさに対応した大きさに設定している。
【先行技術文献】
【特許文献】
【０００４】
【特許文献１】特開２０１３−２４２５６７号公報（図２参照）
【発明の概要】
【発明が解決しようとする課題】
【０００５】
図３に、前述した大型化した携帯端末２の表示画面３に上記特許文献１の携帯端末用透明フィルム１０を貼り付けた場合を示している。この携帯端末用透明フィルム１０を表示画面３に貼り付ける場合には、略平面形状の強化ガラスフィルム１１の中心部を画面本体３Ａに容易に貼り付けることができるものの、湾曲面３ｂを有する左右縁部３Ｂ，３Ｂに強化ガラスフィルム１１の左右両端部１１Ｂ，１１Ｂ（図３では一方（右側）のみ図示しているが、他方も同様である）を容易に貼り付けることができない。これは、強化ガラスフィルム１１の左右両端部１１Ｂ，１１Ｂを表示画面３の左右縁部３Ｂ，３Ｂの湾曲面３ｂ，３ｂに押し当てて貼り付けることになるが、押し当てられて曲げられた強化ガラスフィルム１１の左右両端部１１Ｂ，１１Ｂが元に戻ろうとする復元力の方が貼着層１４の貼着力よりも強いため、強化ガラスフィルム１１の左右両端部１１Ｂ，１１Ｂが左右縁部３Ｂ，３Ｂから剥がれてしまう。そのため、強化ガラスフィルム１１の左右両端部１１Ｂ，１１Ｂが左右縁部３Ｂ，３Ｂの湾曲が開始する湾曲開始部分３Ｃ，３Ｃから浮いた状態になってしまうという不都合が発生する。
【０００６】
本発明が前述の状況に鑑み、解決しようとするところは、できるだけ表示画面を覆うことができながらも、表示画面の左右縁部の湾曲開始部分から浮いた状態にならないように装着できる携帯端末用透明フィルムを提供することにある。
【課題を解決するための手段】
【０００７】
本発明の携帯端末用透明フィルムは、前述の課題解決のために、本体と、該本体上に配置される表示画面と、を備え、前記表示画面が、上面が略平面形状に構成される画面本体と、該画面本体の左右両端のそれぞれから左右方向外側に向けて延設され端に向かうほど下方に位置するように上方に凸となる湾曲面を有し、かつ、前記本体の厚み方向に張り出している左右縁部と、を備える携帯端末に、前記表示画面を保護するために該表示画面上に配置される携帯端末用透明フィルムであって、裏面が略平面形状に構成され前記画面本体を覆うフィルム本体と、該フィルム本体の左右両端から左右方向外側に向けて延設される左右フィルム縁部と、を備え、少なくとも前記フィルム本体を前記画面本体に粘着するための粘着層を、該フィルム本体の裏面に備え、前記左右フィルム縁部は、前記表示画面の左右縁部の湾曲が開始する湾曲開始部分を覆うとともに該湾曲開始部分の表面に沿うように裏面が端に向かうほど下方に位置するように上方に凸となる湾曲面に形成されていることを特徴としている。
【０００８】
かかる構成によれば、フィルム本体及び左右フィルム縁部を表示画面に押し当てると、少なくともフィルム本体の裏面に備えている粘着層でフィルム本体が表示画面に粘着される。このとき、裏面が湾曲面に形成された左右フィルム縁部が、表示画面の左右縁部の湾曲開始部分の表面に沿うように該湾曲開始部分を覆う。よって、左右フィルム縁部が、表示画面の左右縁部の湾曲開始部分から浮いた状態にならない。したがって、表示画面の画面本体だけでなく、左右縁部の湾曲開始部分も携帯端末用透明フィルムで良好に覆うことができる。
【０００９】
また、本発明の携帯端末用透明フィルムは、前記粘着層を前記左右フィルム縁部それぞれの裏面に備え、前記粘着層の厚みは、前記左右フィルム縁部の裏面のうちの最下端と前記フィルム本体の裏面とのフィルム厚み方向における離間距離よりも大きいことが好ましい。
【００１０】
上記構成によれば、左右フィルム縁部それぞれの裏面に備える粘着層の厚みを、左右フィルム縁部の裏面のうちの最下端とフィルム本体の裏面とのフィルム厚み方向における離間距離よりも大きくすることによって、左右縁部の曲率半径が携帯端末によって異なる場合であっても、粘着層の厚みで曲率半径の違いを吸収することができ、左右フィルム縁部を左右縁部の湾曲開始部分に確実に粘着させることができる。
【発明の効果】
【００１１】
本発明によれば、表示画面の左右縁部の湾曲が開始する湾曲開始部分の表面に沿うように裏面が端に向かうほど下方に位置するように上方に凸となる湾曲面に形成されている左右フィルム縁部を備えることによって、できるだけ表示画面を覆うことができながらも、表示画面の左右縁部の湾曲開始部分から浮いた状態にならないように装着できる携帯端末用透明フィルムを提供することができる。
【図面の簡単な説明】
【００１２】
【図１】携帯端末の斜視図である。
【図２】（ａ）は携帯端末の表示画面に携帯端末用透明フィルムを粘着させる直前の状態を示す前後方向から見た図、（ｂ）は携帯端末の表示画面に携帯端末用透明フィルムを粘着させた状態を示す前後方向から見た図である。
【図３】従来の携帯端末用透明フィルムを携帯端末の表示画面に粘着させた状態を示す断面図である。
【発明を実施するための形態】
【００１３】
以下、本発明の携帯端末用透明フィルムについて説明する。この携帯端末用透明フィルム１は、図１に示すように、携帯端末（例えばｉＰｈｏｎｅ（登録商標））２の表示画面３を覆うように配設される。なお、図１において携帯端末２の左右方向及び前後方向を設定し、その設定した方向で以下において説明する。
【００１４】
携帯端末２は、各種の基板やカメラレンズあるいはバッテリ等を内蔵した長方形状のケーシングを有する本体４と、本体４上に配置され、上面が略平面形状で長方形状の前記表示画面３と、を備えている。なお、本体４と表示画面３の左右端部における境界部分に段差が発生しないように、本体４の曲率半径と表示画面３の曲率半径とを略同一にしている。
【００１５】
表示画面３は、タッチパネルを兼用し、図１及び図２（ａ），（ｂ）に示すように、上面が略平面形状に構成され平面視において長方形状に構成された画面本体３Ａと、画面本体３Ａの左右両端のそれぞれから左右方向外側に向けて延設され端に向かうほど下方に位置するように上方に凸となる湾曲面３ｂを有し、かつ、本体４の厚み方向の上方に張り出している左右縁部３Ｂ，３Ｂ（図１では左側のみを図示し、図２（ａ），（ｂ）では右側のみを図示している）と、を有している。なお、湾曲面３ｂの曲率半径は、携帯端末２を製造するメーカー毎や携帯端末２の機種毎に異なる場合が多い。
【００１６】
携帯端末用透明フィルム１は、例えば強化ガラスからなり、表面及び裏面が略平面形状に構成されるフィルム本体１Ａと、フィルム本体１Ａの左右両端から左右方向外側に向けて延設される左右フィルム縁部１Ｂ，１Ｂと、を備えている。左右フィルム縁部１Ｂ，１Ｂは、表示画面３の左右縁部３Ｂ，３Ｂの湾曲が開始される湾曲開始部分３Ｃ，３Ｃ（図２（ａ）の破線間部分）のみを覆うとともに湾曲開始部分３Ｃ，３Ｃの表面に沿うように裏面１Ｒ，１Ｒが端に向かうほど下方に位置するように上方に凸となる湾曲面に形成されている。
【００１７】
前記湾曲面のうちの湾曲開始部分３Ｃ，３Ｃの湾曲面が、直線に近い緩やかな湾曲面に形成され、これら湾曲開始部分３Ｃ，３Ｃを覆う左右フィルム縁部１Ｂ，１Ｂの裏面１Ｒ，１Ｒも直線に近い緩やかな湾曲面（湾曲開始部分３Ｃ，３Ｃの湾曲面と略同一の湾曲面）に形成されている。このように左右フィルム縁部１Ｂ，１Ｂの裏面１Ｒ，１Ｒを直線に近い緩やかな湾曲面に形成することによって、フィルム本体１Ａの裏面１ａ及び左右フィルム縁部１Ｂ，１Ｂの裏面１Ｒ，１Ｒに後述する粘着層５を塗布し易い利点もある。言い換えれば、湾曲開始部分３Ｃ，３Ｃの湾曲面の湾曲度合が、湾曲開始部分３Ｃ，３Ｃよりも左右方向外側に位置する他の部分の湾曲面の湾曲度合よりも小さいので、直線に近い緩やかな湾曲面になっている。
【００１８】
また、左右フィルム縁部１Ｂ，１Ｂの表面が、左右方向外側端に向かうほど下方に位置する上方に凸となる湾曲面に形成されている。この表面の湾曲面の湾曲度合が裏面の湾曲面の湾曲度合よりも大きく設定されているため、左右フィルム縁部１Ｂ，１Ｂの上下の厚みが左右方向外側端に向かうほど細い先細り形状になっているが、表面の湾曲面の湾曲度合を裏面の湾曲面の湾曲度合と略同一にして、どの部分でも同一厚みになるように設定してもよい。
【００１９】
フィルム本体１Ａの裏面（下面）１ａ及び左右フィルム縁部１Ｂ，１Ｂの裏面（下面）１Ｒ，１Ｒのそれぞれには、粘着層５を備えている。この粘着層５は、シリコン系樹脂、ウレタン系樹脂、アクリル系樹脂のうちの少なくとも1種から構成される。
【００２０】
左右フィルム縁部１Ｂ，１Ｂに備える粘着層５の厚み（左右フィルム縁部１Ｂの裏面１Ｒから粘着層５の裏面５Ｒまでの距離）を、左右フィルム縁部１Ｂ，１Ｂの裏面１Ｒ，１Ｒのうちの最下端１Ｃとフィルム本体１Ａの裏面１ａとのフィルム厚み方向における離間距離Ｌ（図２（ｂ）参照）よりも大きくしている。よって、左右縁部３Ｂ，３Ｂの曲率半径が携帯端末２によって異なる場合であっても、粘着層５の厚みで曲率半径の違いを吸収することができ、左右フィルム縁部１Ｂ，１Ｂを左右縁部３Ｂ，３Ｂの湾曲開始部分３Ｃ，３Ｃに確実に粘着させることができる。なお、粘着層５の厚みは、フィルム本体１Ａに塗布された部分の厚みと左右フィルム縁部１Ｂ，１Ｂに塗布された部分の厚みとが略同一になっている。
【００２１】
また、携帯端末用透明フィルム１の裏面全体に備える粘着層５の厚み、つまりフィルム本体１Ａの裏面１ａ及び左右フィルム縁部１Ｂ，１Ｂの裏面１Ｒ，１Ｒに備える粘着層５の厚みを、左右フィルム縁部１Ｂ，１Ｂの裏面１Ｒ，１Ｒのうちの最下端１Ｃとフィルム本体１Ａの裏面１ａとのフィルム厚み方向における離間距離Ｌ（図２（ｂ）参照）よりも大きくしている。換言すれば、フィルム本体１Ａの裏面１ａに備える粘着層５の裏面５Ａ及び左右フィルム縁部１Ｂ，１Ｂの裏面１Ｒ，１Ｒに備える粘着層５の裏面５Ｒ，５Ｒが、左右フィルム縁部１Ｂ，１Ｂの裏面１Ｒ，１Ｒのうちの最下端１Ｃよりも下方に位置するように表示画面３側に突出している。よって、携帯端末用透明フィルム１を表示画面３に対して位置ずれして左右フィルム縁部１Ｂ，１Ｂが略平面形状の画面本体３Ａに貼り付けられる場合でも、湾曲した左右フィルム縁部１Ｂ，１Ｂを粘着層５の厚みで画面本体３Ａに確実に粘着させることができる。
【００２２】
各湾曲開始部分３Ｃは、各左右縁部３Ｂの左右方向の全長の１／３の長さ又は１／３以下の長さに設定することによって、左右縁部３Ｂ，３Ｂの曲率半径が携帯端末２によって異なる場合であっても、各湾曲開始部分３Ｃに左右フィルム縁部１Ｂ，１Ｂの裏面１Ｒ，１Ｒを粘着層５で剥がれることがなく覆うことができ好ましいが、各左右縁部３Ｂの１／３を越える長さでかつ各左右縁部３Ｂの１／２以下の長さであってもよい。
【００２３】
具体的には、フィルム本体１Ａの裏面１ａから左右フィルム縁部１Ｂ，１Ｂの最下端１Ｃ，１Ｃまでのフィルム厚み方向における離間距離Ｌが０．０１ｍｍ〜０．０５ｍｍの範囲の任意の値であり、これに対して粘着層５の厚み（上下方向の寸法）が０．１８ｍｍ〜０．２５ｍｍの範囲の任意の値である。また、フィルム本体１Ａの厚みを、ここでは０．３３ｍｍとしているが、他の数値であってもよい。
【００２４】
上記のように構成されたフィルム本体１Ａ及び左右フィルム縁部１Ｂ，１Ｂを表示画面３に押し当てると、少なくともフィルム本体１Ａの裏面１ａに備えている粘着層５でフィルム本体１Ａが表示画面３に粘着される。このとき、左右フィルム縁部１Ｂ，１Ｂが、表示画面３の左右縁部３Ｂ，３Ｂの湾曲開始部分３Ｃ，３Ｃに沿うように湾曲開始部分３Ｃ，３Ｃを覆う。しかも、左右フィルム縁部１Ｂ，１Ｂが、左右縁部３Ｂ，３Ｂの湾曲が開始する湾曲開始部分３Ｃ，３Ｃのみを覆うようにしているので、左右縁部３Ｂ，３Ｂの曲率半径が携帯端末によって異なる場合であっても、湾曲開始部分３Ｃ，３Ｃにおける湾曲面の湾曲開始地点から左右方向外側の湾曲終了地点（終端）までのフィルム厚み方向における距離を小さく抑えることができるため、表示画面３の左右縁部３Ｂ，３Ｂの湾曲開始部分３Ｃ，３Ｃから浮いた状態にならない。よって、表示画面３の画面本体３Ａだけでなく、左右縁部３Ｂ，３Ｂの湾曲開始部分３Ｃ，３Ｃを携帯端末用透明フィルム１で良好に覆うことができる。
【００２５】
携帯端末用透明フィルム１の形成方法としては、例えばガラス板を研削機を用いて研削する方法の他、溶融ガラスを金型に入れて形成する方法等が挙げられる。
【００２６】
尚、本発明は、前記実施形態に限定されるものではなく、本発明の要旨を逸脱しない範囲で種々の変更が可能である。
【００２７】
例えば、携帯端末用透明フィルムを貼り付ける携帯端末としては、ｉＰｈｏｎｅ（登録商標）の他、Ａｎｄｏｒｏｉｄ（登録商標）、ｉＰａｄ（登録商標）、ｉＰｏｄ（登録商標）であってもよい。
【００２８】
また、前記実施形態では、携帯端末用透明フィルム１を強化ガラスから構成したが、硬質合成樹脂で構成することもできる。
【００２９】
また、前記実施形態では、携帯端末用透明フィルム１のフィルム本体１Ａの裏面１ａ及び左右フィルム縁部１Ｂ，１Ｂの裏面１Ｒ，１Ｒに粘着層５を備えたが、フィルム本体１Ａの裏面１ａのみに粘着層５を備えて実施することもできる。
【００３０】
また、前記実施形態では、携帯端末用透明フィルム１の裏面全体に備える粘着層５の厚み、つまりフィルム本体１Ａの裏面１ａ及び左右フィルム縁部１Ｂ，１Ｂの裏面１Ｒ，１Ｒに備える粘着層５の厚みを、左右フィルム縁部１Ｂ，１Ｂの裏面１Ｒ，１Ｒのうちの最下端１Ｃとフィルム本体１Ａの裏面１ａとのフィルム厚み方向における離間距離Ｌ（図２（ｂ）参照）よりも大きくしたが、左右フィルム縁部１Ｂ，１Ｂの裏面１Ｒ，１Ｒに備える粘着層５の厚みのみを、左右フィルム縁部１Ｂ，１Ｂの裏面１Ｒ，１Ｒのうちの最下端１Ｃとフィルム本体１Ａの裏面１ａとのフィルム厚み方向における離間距離Ｌ（図２（ｂ）参照）よりも大きくしてもよい。
【符号の説明】
【００３１】
１…携帯端末用透明フィルム、１Ａ…フィルム本体、１Ｂ…左右フィルム縁部、１Ｃ…最下端、１Ｒ…裏面、１ａ…裏面、２…携帯端末、３…表示画面、３Ａ…画面本体、３Ｂ…左右縁部、３Ｃ…湾曲開始部分、３ｂ…湾曲面、４…本体、５…粘着層、５Ａ…裏面、５Ｒ…裏面、１０…携帯端末用透明フィルム、１１…強化ガラスフィルム、１１Ｂ…左右両端部、１２…接着層、１３…ＰＥＴ層、１４…貼着層、Ｌ…離間距離
【図１】
2020030300.tif 000003
【図２】
2020030300.tif 000004
【図３】
2020030300.tif 000005